【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
複数の光源ブロックに分割され光源ブロック毎に光源の発光を独立に制御可能な発光装置であって、
各光源ブロックの光源の周辺温度を検出する温度検出手段と、
各光源ブロックの光源の輝度を検出する輝度検出手段と、
前記発光装置の目標輝度を取得する取得手段と、
光源の周辺温度と光源の輝度との関係である温度特性の情報を記憶する記憶手段と、
光源ブロック毎に、光源の周辺温度の検出値と、光源の輝度の検出値と、光源の温度特性と、に基づき、光源の輝度が前記取得手段により取得した目標輝度と一致するように、光源の駆動量を補正する補正手段と、
光源ブロック毎に、光源の周辺温度の変化度合を予測する予測手段と、
光源ブロック毎に、前記補正手段による駆動量の補正を行う頻度を決定する頻度決定手段と、
前記頻度決定手段により決定される光源ブロック毎の頻度で、前記補正手段による各光源ブロックの光源の駆動量の補正を実行する制御手段と、
を備え、
前記頻度決定手段は、前記予測手段により予測される光源の周辺温度の変化度合が大きいほど、前記補正手段による駆動量の補正を行う頻度を高くすることを特徴とする発光装置。
【請求項２】
前記予測手段は、所定の周期で前記温度検出手段から光源の周辺温度の検出値を取得し、前回取得した検出値と今回取得した検出値との差が大きいほど光源の周辺温度の変化度合が大きいと予測する請求項１に記載の発光装置。
【請求項３】
前記予測手段は、前記発光装置の発熱及び放熱に関わる部材の配置に基づいて、光源ブロック毎の光源の周辺温度の変化度合を予測する請求項１又は２に記載の発光装置。
【請求項４】
前記取得手段は、表示画像に応じて光源ブロック毎に設定される目標輝度を取得し、
前記予測手段は、少なくとも１つの光源ブロックの目標輝度が変化した場合に、各光源ブロックの目標輝度の変化前後の差を算出し、目標輝度の差が大きいほど光源の周辺温度の変化度合が大きいと予測する請求項１〜３のいずれか１項に記載の発光装置。
【請求項５】
表示画像が静止画像であるか否かを判定する判定手段を備え、
前記制御手段は、前記判定手段により表示画像が静止画像であると判定される場合に、前記頻度決定手段により決定される光源ブロック毎の頻度で各光源ブロックの光源の駆動量の補正を前記補正手段に行わせることを特徴とする請求項１〜４のいずれか１項に記載の発光装置。
【請求項６】
請求項１〜５のいずれか１項に記載の発光装置と、
前記発光装置により照明される表示パネルと、
を備える画像表示装置。
【請求項７】
複数の光源ブロックに分割され光源ブロック毎に光源の発光を独立に制御可能な発光装置の制御方法であって、
各光源ブロックの光源の周辺温度を検出する温度検出工程と、
各光源ブロックの光源の輝度を検出する輝度検出工程と、
発光装置の目標輝度を取得する取得工程と、
光源の周辺温度と光源の輝度との関係である温度特性の情報を記憶手段から読み込む工程と、
光源ブロック毎に、光源の周辺温度の検出値と、光源の輝度の検出値と、光源の温度特性と、に基づき、光源の輝度が前記取得工程により取得した目標輝度と一致するように、光源の駆動量を補正する補正工程と、
光源ブロック毎に、光源の周辺温度の変化度合を予測する予測工程と、
光源ブロック毎に、前記補正工程による駆動量の補正を行う頻度を決定する頻度決定工程と、
前記頻度決定工程により決定される光源ブロック毎の頻度で、前記補正工程による各光源ブロックの光源の駆動量の補正を実行する制御工程と、
を有し、
前記頻度決定工程は、前記予測工程により予測される光源の周辺温度の変化度合が大きいほど、前記補正工程による駆動量の補正を行う頻度を高くすることを特徴とする発光装置の制御方法。
【請求項８】
前記予測工程では、所定の周期で前記温度検出により光源の周辺温度の検出値を取得し、前回取得した検出値と今回取得した検出値との差が大きいほど光源の周辺温度の変化度合が大きいと予測する請求項７に記載の発光装置の制御方法。
【請求項９】
前記予測工程では、前記発光装置の発熱及び放熱に関わる部材の配置に基づいて、光源ブロック毎の光源の周辺温度の変化度合を予測する請求項７又は８に記載の発光装置の制御方法。
【請求項１０】
前記取得工程では、表示画像に応じて光源ブロック毎に設定される目標輝度を取得し、
前記予測工程では、少なくとも１つの光源ブロックの目標輝度が変化した場合に、各光源ブロックの目標輝度の変化前後の差を算出し、目標輝度の差が大きいほど光源の周辺温度の変化度合が大きいと予測する請求項７〜９のいずれか１項に記載の発光装置の制御方法。
【請求項１１】
表示画像が静止画像であるか否かを判定する判定工程を有し、
前記制御工程では、前記判定工程により表示画像が静止画像であると判定される場合に、前記頻度決定工程により決定される光源ブロック毎の頻度で各光源ブロックの光源の駆動量の補正が前記補正工程において行われることを特徴とする請求項７〜１０のいずれか１項に記載の発光装置の制御方法。
【手続補正２】
【補正対象書類名】明細書
【補正対象項目名】００１３
【補正方法】変更
【補正の内容】
【００１３】
本発明は、複数の光源ブロックに分割され光源ブロック毎に光源の発光を独立に制御可能な発光装置であって、各光源ブロックの光源の周辺温度を検出する温度検出手
段と、各光源ブロックの光源の輝度を検出する輝度検出手段と、発光装置の目標輝度を取得する取得手段と、光源の周辺温度と光源の輝度との関係である温度特性の情報を記憶する記憶手段と、光源ブロック毎に、光源の周辺温度の検出値と、光源の輝度の検出値と、光源の温度特性と、に基づき、光源の輝度が前記取得手段により取得した目標輝度と一致するように、光源の駆動量を補正する補正手段と、光源ブロック毎に、光源の周辺温度の変化度合を予測する予測手段と、光源ブロック毎に、前記補正手段による駆動量の補正を行う頻度を決定する頻度決定手段と、前記頻度決定手段により決定される光源ブロック毎の頻度で、前記補正手段による各光源ブロックの光源の駆動量の補正を実行する制御手段と、を備え、前記頻度決定手段は、前記予測手段により予測される光源の周辺温度の変化度合が大きいほど、前記補正手段による駆動量の補正を行う頻度を高くすることを特徴とする発光装置である。
【手続補正３】
【補正対象書類名】明細書
【補正対象項目名】００１４
【補正方法】変更
【補正の内容】
【００１４】
本発明は、複数の光源ブロックに分割され光源ブロック毎に光源の発光を独立に制御可能な発光装置の制御方法であって、各光源ブロックの光源の周辺温度を検出する温度検出工程と、各光源ブロックの光源の輝度を検出する輝度検出工程と、発光装置の目標輝度を取得する取得工程と、光源の周辺温度と光源の輝度との関係である温度特性の情報を記憶手段から読み込む工程と、光源ブロック毎に、光源の周辺温度の検出値と、光源の輝度の検出値と、光源の温度特性と、に基づき、光源の輝度が前記取得工程により取得した目標輝度と一致するように、光源の駆動量を補正する補正工程と、光源ブロック毎に、光源の周辺温度の変化度合を予測する予測工程と、光源ブロック毎に、前記補正工程による駆動量の補正を行う頻度を決定する頻度決定工程と、前記頻度決定工程により決定される光源ブロック毎の頻度で、前記補正工程による各光源ブロックの光源の駆動量の補正を実行する制御工程と、を有し、前記頻度決定工程は、前記予測工程により予測される光源の周辺温度の変化度合が大きいほど、前記補正工程による駆動量の補正を行う頻度を高くすることを特徴とする発光装置の制御方法である。
【手続補正４】
【補正対象書類名】明細書
【補正対象項目名】発明の名称
【補正方法】変更
【補正の内容】
【発明の名称】発光装置、その制御方法、及び画像表示装置